(57)【要約】【課題】ホログラム等で得られる光の干渉色を直接視認するのではなく、容器壁を通して間接的に目に入るようにして容器の光輝性を高め得る装飾容器を提供する。【解決手段】容器壁の少なくとも一部が光透過部となっており、光透過部には凹凸が形成され容器において、容器壁に容器内方に向けて干渉光を拡散する干渉色生成手段を設け、干渉色生成手段によって生成された干渉光を容器壁の凹凸を通じて視認可能としたことを特徴とする。【選択図】    図１
2006176155.tif 000002
【特許請求の範囲】
【請求項１】
容器壁の外側に入射光を反射する際に光の干渉色が生成される干渉色生成手段を容器内方に向けて配置し、前記干渉色生成手段の干渉色の拡散光を容器壁を通じて屈折させて容器内方に拡散させ、視認領域の容器壁に設けた凹凸を通じて再度屈折させて容器外の看者の目に届く構成としたことを特徴とする光輝性容器。
【請求項２】
容器の視認領域から外れた位置の容器壁の外側に、入射光を反射する際に光の干渉色が生成される干渉色生成手段を容器内方に向けて配置し、前記干渉色生成手段の干渉色の拡散光を容器壁を通じて屈折させて容器内方に拡散させ、視認領域の容器壁を通じて再度屈折させて容器外の看者の目に届く構成としたことを特徴とする光輝性容器。
【請求項３】
視認領域に位置する胴部と視認領域から外れた位置の底部とを有し、底部の容器壁の外側に干渉色生成手段を容器内方に向けて配置したことを特徴とする請求項２に記載の光輝性容器。
【請求項４】
容器の視認領域に位置する容器壁に凹凸を形成し、凹凸を通じて容器内に拡散した干渉色の拡散光を再度屈折させて容器外の看者の目に届く構成としたことを特徴とする請求項２又は３に記載の光輝性容器。
【請求項５】
胴部の一部には情報記載部が設けられ、胴部の情報記載部以外の箇所から干渉色の拡散光が外部に出る構成としたことを特徴とする請求項３または４に記載の光輝性容器。
【請求項６】
凹凸の断面形状が頂点を有することを特徴とする請求項１または４に記載いの光輝性容器。
【請求項７】
凹凸形状の単位形状が菱形であり、菱形の単位形状が複数設けられていることを特徴とする請求項１または４に記載の光輝性容器。
【請求項８】
フィルム，紙，樹脂シート等のホログラム加工品を容器壁に装着したことを特徴とする請求項１乃至７のいずれかの項に記載の光輝性容器。
【発明の詳細な説明】
【技術分野】
【０００１】
本発明は、ホログラムや回折格子などで得られる光の干渉色を装飾として利用する光輝性容器に関する。
【背景技術】
【０００２】
ホログラムは見る方向によって色が立体的に変化す虹色の光彩を放つことに着目し、従来からホログラムを装飾として利用した容器が知られている。
たとえば、特許文献１には、印刷ラベルの一部にホログラムシートを貼り付けてホログラム画像を直接外方から視認可能としたものが記載されている。また、特許文献２には、ホログラムシートを容器の内側に向けて貼り付け、容器壁を通して視認可能としたもが提案されている。
これら従来のホログラム付き容器の場合には、ホログラムの立体的な形象や模様を容器の目立つ場所に配置し、直接視認可能として装飾効果を出すものであった。
【特許文献１】特開平９−２２６７７０号公報
【特許文献２】実用新案登録第２５２３６２３号公報
【発明の開示】
【発明が解決しようとする課題】
【０００３】
本発明は、ホログラム等で得られる立体的な形象や模様を直接見せるのではなく、干渉光を容器内に拡散させ、拡散光を容器壁を通して目に入るようにして、容器の光輝性を高め得るようにした光輝性容器を提供することにある。
【課題を解決するための手段】
【０００４】
上記目的を達成するために、請求項１に係る光輝性容器は、容器壁の外側に入射光を反射する際に光の干渉色が生成される干渉色生成手段を容器内方に向けて配置し、前記干渉色生成手段の干渉色の拡散光を容器壁を通じて屈折させて容器内方に拡散させ、視認領域の容器壁に設けた凹凸を通じて再度屈折させて容器外の看者の目に届く構成としたことを特徴とする。
【０００５】
請求項２に係る光輝性容器は、容器の視認領域から外れた位置の容器壁の外側に、入射光を反射する際に光の干渉色が生成される干渉色生成手段を容器内方に向けて配置し、前記干渉色生成手段の干渉色の拡散光を容器壁を通じて屈折させて容器内方に拡散させ、視認領域の容器壁を通じて再度屈折させて容器外の看者の目に届く構成としたことを特徴とする。
ここで、視認領域とは、たとえば店頭で陳列した状態、手に持った状態、家庭で収納した状態等等において、容器を観察した場合に通常視認される領域である。固定された領域ではなく、たとえば同じ形状の容器であっても、用途によって、視認領域が異なる場合には干渉色生成手段の配置を変えればよい。
【０００６】
請求項３に係る光輝性容器は、視認領域に位置する胴部と視認領域から外れた位置の底部とを有し、底部の容器壁の外側に干渉色生成手段を容器内方に向けて配置したことを特
徴とする。
【０００７】
請求項４に係る光輝性容器は、容器の視認領域に位置する容器壁に凹凸を形成し、凹凸を通じて容器内に拡散した干渉色の拡散光を再度屈折させて容器外の看者の目に届く構成としたことを特徴とする。
【０００８】
請求項５に係る光輝性容器は、胴部の一部には情報記載部が設けられ、胴部の情報記載部以外の箇所から干渉色の拡散光が外部に出る構成としたことを特徴とする。
【０００９】
請求項６に係る光輝性容器は、凹凸の断面形状が頂点を有することを特徴とする。
【００１０】
請求項７に係る光輝性容器は、凹凸形状の単位形状が菱形であり、菱形の単位形状が複数設けられていることを特徴とする。
【００１１】
請求項８に係る光輝性容器は、フィルム，紙，樹脂シート等のホログラム加工品を容器壁に装着したことを特徴とする。
【発明の効果】
【００１２】
請求項１に係る光輝性容器によれば、干渉色生成手段によって生成された干渉色が視認領域の容器壁に設けられた凹凸によって複雑に屈折して目に入り、しかも見る方向によって色が変化して輝き、光輝性の高い装飾効果が得られる。特に、容器内に入る際と出る際に２度に亘って屈折するために、予測の付かない複雑な変化を楽しむことができる。
【００１３】
請求項２に係る光輝性容器によれば、視認領域外に配置された干渉色生成手段によって生成された干渉色が目に入るので、意外性があり斬新な装飾効果が得られる。
【００１４】
請求項３に係る光輝性容器によれば、底部の容器壁の外側に干渉色生成手段を容器内方に向けて配置したので、胴部全体に亘って干渉色の拡散光を拡散させることができ、小さい範囲の干渉色生成手段によって、胴部全体に干渉色による光輝性を持たせることができる。
【００１５】
請求項４に係る光輝性容器によれば、容器の視認領域に位置する容器壁に凹凸を形成したので、干渉色の拡散光が凹凸形状によって複雑に屈折して目に入り、光輝性の高い装飾効果が得られる。
【００１６】
請求項５に係る光輝性容器によれば、胴部の一部には情報記載部を設けられ、情報の表示機能を損なうことなく、干渉色による装飾効果を発揮させることができる。
【００１７】
請求項６に係る光輝性容器によれば、凹凸の断面形状が頂点を有するので、頂点部分に集光して輝きが増大し、光輝性がより増大する。
【００１８】
請求項７に係る光輝性容器によれば、凹凸形状が菱形の単位形状が複数設られた構成となっているので、凹凸形状がいわゆるダイヤカット状の光輝性を有するので、凹凸形状の反射特性に干渉色の拡散光が重畳して高い装飾効果が得られる。
【００１９】
請求項８に係る光輝性容器によれば、フィルム，紙，樹脂シート等のホログラム加工品を容器壁に装着しただけなので、きわめて簡単な構成で高い光輝性を得ることができる。
【発明を実施するための最良の形態】
【００２０】
以下に本発明を図示の実施の形態に基づいて説明する。
図１は、本発明の実施の形態に係る光輝性容器を示している。
この光輝性容器１は、視認領域に位置する胴部２と視認領域から外れた領域に位置する底部３とを有し、底部３の容器壁の外側に入射光を反射する際に光りの干渉色が生成される干渉色生成手段としてのホログラムシート５が容器内方に向けて配置されている。このホログラムシート５によって生成される干渉色の拡散光が底部３の容器壁を通じて屈折して容器内方に拡散し、胴部２の容器壁を通じて再度屈折して容器外に出て看者の目に届く構成となっている。
【００２１】
容器１の材質は、プラスチック，ガラス等の光透過性を有する材質であればよい。プラスチック材料としては、ポリエチレンテレフタレート等のポリエステル樹脂、ポリプロピレン，ポリエチレン等のポリオレフィン系樹脂、ポリ塩化ビニル、ポリカーボネート、ポリスチレン等種々の材料が適用可能である。また、単層構成だけでなく、多層構成の材料を適用可能である。
【００２２】
胴部２は、円筒状の下半部２１と、下半部２１の上部に隣接する多角形状（図示例では八角形）の中央部２２と、中央部２２から上方に向かって徐々に小径となり中央部２２と連続する断面多角形状の肩部２３と、肩部２３の上端から上方に突出する円筒形状の口頸部２４とを備えた構成となっている。
中央部２２および肩部２３は、角部２２ａ，２３ａが凸形状に出っ張る凹凸形状となっている。
中央部２２には、多角形状を基本としつつ、上下方向には凹部４１と凸部４２が交互に複数形成されている。、各凹部４１および凸部４２は、左右両角部２２ａ，２３ａから中央に向かって上方に凸となるような円弧形状となっている。
【００２３】
円筒状の下半部２１は情報記載領域で、たとえば、情報が印刷された不図示のシュリンクフィルムが装着される。
底部３は中央に凹部３１が設けられ、この凹部３１を取り囲んで円環状の底部載置面３２が設けられている。この底部載置面３２に若干浅い段凹部３３が設けられ、段凹部３３にホログラムシート５の干渉色によるホログラム画像形成面を容器内方に向けて張り付けられている。
【００２４】
ホログラムシート５は、透明の接着剤によって底部３に接着固定されている。ホログラムシート５は、フィルム，紙，樹脂シート等が適用可能で、たとえばホログラム画像を再生可能とするエンボス加工が施されている。ホログラムシート５には、接着剤層が積層された多層構造となっていてもよい。
【００２５】
本実施の形態の光輝性容器にあっては、ホログラムシート５において生成されたホログラム画像の干渉色の拡散光が底部３の容器壁を通過する際に屈折して容器内に拡散され、さらに、胴部２の中央部２２および肩部２３に設けられた凹凸形状である角部２２ａ，２３ａによって屈折拡散されるので、予想のつかない意外性のある光輝感を与えることができる。
特に、ホログラムシート５を底部３に設けることにより、アイキャッチ効果の高い視界領域として最も目立つ胴部３にはホログラムシート５の占有スペースは必要無く、しかも容器内の空間を光拡散領域として最大限に利用でき、小さなホログラムシート５で大きな光輝感を付与できる。
【００２６】
また、底部３にホログラムシート５を貼付するだけなので、構成が簡単でコスト削減を図ることができる。
さらに、情報記載部となる胴部２の下半部２１の情報表示に関して、全く影響を及ぼすおそれがない。
また、底部３に対して胴部２の中央部２２および肩部２３の径が細い形状となっているので、ホログラムシート５で生成され底部３で屈折し容器内に拡散した干渉色の拡散光が先細り形状の中央部２２および肩部２３に集約され、集約された光がさらに中央部２２および肩部２３の角部２２ａ，２２ｂさらに凹凸によりさらに屈折するため、より光輝感が増大する。
【００２７】
図２には本発明の実施の形態２に係る光輝性容器を示している。
この実施の形態２の光輝性容器は、容器の基本形状が実施の形態１の容器と同じであり、容器の底部３の形状と、底部３に装着されるホログラムシート１０５の形状と、ホログラムシート１０５の取り付け方法が実施の形態１と相違している。
以下の説明では、実施の形態１と相違点について説明し、同一の構成部分については同一の符号を付し説明を省略するものとする。
すなわち、この実施の形態の光輝性容器は、容器底部３と胴部２の下半部２１との角部に斜めにカットされた傾斜面部２５を備えている。
【００２８】
ホログラムシート１０５はカップ形状で、容器底部３に対応する平面状の円板部１０５ａと、円板部１０５ａの外径端縁から斜めに立ち上がり容器の胴部２と底部３の角に位置する傾斜面部２５に対応して斜めに延びる環状の傾斜片部１０５ｂとを備えている。ホログラムシート１０５は、円板部１０５ａだけでなく、傾斜片部１０５ｂにもホログラムが形成されている。
このホログラムシート１０５は接着固定するのではなく、胴部２の下半部２１外周に被覆されるシュリンクフィルム１０６によって固定されている。
【００２９】
シュリンクフィルム１０６は、胴部２の下半部２１を被覆する円筒状の胴部被覆部１０６ａと、傾斜面部２５を被覆する傾斜面被覆部１０６ｂとを備え、この傾斜面被覆部１０６ｂと傾斜面部２５の間にホログラムシート１０５の傾斜片部１０５ｂを挟んでホログラムシート１０５を固定している。
【００３０】
図３には、シュリンクフィルム１０６による被覆およびホログラムシート１０５の固定手順を示している。
まず、ホログラムシート１０５を容器の底部３に被せる（図３（Ａ）参照）。実際には容器が倒立状態で行う。
次に、シュリンクフィルム１０６をホログラムシート１０５を被せた底部３に被せる（図３（Ｂ）参照）。
最後に、外面から熱媒体により、シュリンクフィルム１０６の胴部被覆部１０６ａおよび傾斜面被覆部１０６ｂを収縮させ、容器の胴部２の下半部２および傾斜面２５に対して密着させる（図３（Ｃ）参照）。
【００３１】
この実施の形態によれば、傾斜面部２５に密接するホログラムシート１０５の傾斜片部１０５ｂにもホログラムが形成されることにより、胴部２より中央部２２の凹凸４にホログラムの拡散光が容器壁に確実に到達し、かつ広範囲に行き渡るので光輝性がより増大する。
【００３２】
図４は本発明の実施の形態３に係る光輝性容器を示している。
この光輝性容器２０１も、視認領域に位置する胴部２０２と視認領域から外れた領域に位置する底部２０３とを有し、底部２０３の容器壁の外側に入射光を反射する際に光の干渉色が生成される干渉色生成手段としてのホログラムシート２０５が容器内方に向けて配置されている。このホログラムシート２０５によって生成される干渉色の拡散光が底部２０３の容器壁を通じて屈折して容器内方に拡散し、胴部２０２の容器壁を通じて再度屈折して容器外に出て看者の目に届く構成となっている。
【００３３】
胴部２は、断面が正八角形の角筒形状を基本形状としており、外周面に角部２０２ａが凸部として突出する凹凸を有する形状となっている。底部２０３から胴部高さの２／３程度の高さの胴部本体部２２１はほぼ同じ外径で、２／３から口頸部２２４までの肩部２２３が上方に向かってなだらかに小径に絞られている。胴部本体部２２１の中央部２２２には各角部２０２ａの稜線を容器内側に部分的に削った形状の凹部２０４が形成されており、凹凸形状が複雑になっている。凹部２０４は、その上下両端から下方および上方に向けて、角部２０２ａの稜線を円弧状に削ったものて、上下方向中央部が最も幅広の紡錘形状となっており、角部２０２ａの稜線は凹部２０４の上端にて左右両側縁にそって２方向に分岐し凹部２０４の下端において角部２０２ａの稜線に合流している。また、左右に隣り合う凹部２０４の側縁は中央部にて接している。
胴部２０２の下端は底部２０３に向けて徐々に小径に絞られ、底部２０３との角部は円弧状に丸められている。
【００３４】
底部２０３の外周は胴部２０２の下端部形状に一致する八角形状で、中央に凹部２３１が設けられ、底部２０３の八角形の外径端と凹部２３１との間が底部載置面２３２となっている。この底部載置面２３２の内径側に所定幅の段差部２３３が設けられ、この段差部２３３にホログラムシート５が貼り付けられている。このホログラムシート２０５は、凹部２３１に対応する穴２５１を有するワッシャ形状で、貼着面にホログラム画像を再生可能なエンボス加工が施されている。
【００３５】
この実施の形態の場合には、胴部２０２が全体的に角部２０２ａによる凹凸を有しているので、干渉色の拡散光が凹凸面を通じて種々の方向に屈折して予測できない光輝性を付与することができる。
特に、胴部本体部２２１の中央部２２２には凹部２０４を設けて複雑な凹凸形状となっているので、この中央部２２２にて光輝性が増大する。
【００３６】
図５は本発明の実施の形態４に係る光輝性容器を示している。
【００３７】
この実施の形態４の光輝性容器３０１も、視認領域に位置する胴部３０２と視認領域から外れた領域に位置する底部３０３とを有し、底部３０３の容器壁の外側に入射光を反射する際に光りの干渉色が生成される干渉色生成手段としてのホログラムシート３０５が容器内方に向けて配置されている。このホログラムシート３０５によって生成される干渉色の拡散光が底部３０３の容器壁を通じて屈折して容器内方に拡散し、胴部３０２の容器壁を通じて再度屈折して容器外に出て看者の目に届く構成となっている。
胴部３０２は、胴部中央部３２１と、胴部中央部３２１下端と底部間に位置するヒール部３２２と、胴部中央部３２１上端と口頸部３２４との間の肩部３２３とを備えている。
このうち、ヒール部３２２と肩部３２３に、凹凸形状としてダイヤカット形状（菱形）の多数の単位パネルが形成された多面体壁３０４が設けられている。
【００３８】
この多面体壁３０４は、凸状の境界稜線３４１で区分された多数の単位パネル３４２で構成されるもので、より詳細には、容器の縦軸方向に並んだ所定数の単位パネル３４２のパネル列３４０が全周的に密に配列された構成となっている。単位パネル３４２は菱形形状で、隣り合うパネル列３４０の各単位パネル３４２の缶軸方向の位相が単位パネル３４２の軸方向長さの半分だけずらされ、隣り合うパネル列３４０の一方のパネル列３４０を構成する各単位パネル３４２の間に他方のパネル列３４０の各単位パネル３４２が密に入り込んだ構成となっている。単位パネル３４２は水平の対角線に沿って谷線３４３が設けられ、谷線３４３を境界として上方三角形部分と下方三角形部分が折れ曲がるように、軸方向の対角線方向に凹状に窪んでいる。
【００３９】
この容器の底部３０３にホログラムシート３０５が貼付され、ホログラムシート３０５によって生成された干渉光を、胴部のヒール部３２２および肩部３２３の多面体壁３０４の凹凸部を通じて視認可能としたものである。
胴部中央部３２１には減圧吸収パネル等の凹凸が形成され、ラベルが装着されるが、情報記載部に悪影響の出ない範囲で形成される。
このように胴部３２１には、胴部中央部３２１に広い上方記載領域が確保され、かつその上部および下部の多面体壁３０４の凹凸によって、確実な情報の付与と豊かな装飾性の両方を満足するものである。
【００４０】
なお、上記各実施の形態ではホログラムシートを容器底部に装着しているが、容器底部３０３に限定されるものではなく、容器形状に応じて視認領域から外れた位置に装着すればよい。場合によっては、視認領域の一部に装着してもよく、その場合には、干渉色の拡散光が容器壁の凹凸を通じて視認される構成とする。また、ホログラムシートを視認領域から外れた位置に配置する場合には、容器壁には必ずしも凹凸形状とする必要はない。
また、上記各実施の形態では、ホログラムシート等の容器とは別体のホログラム加工品を容器に装着するようになっているが、容器壁自体にホログラム加工を施してもよい。
【００４１】
また、上記各実施の形態では、干渉色形成手段としてホログラムを利用したが、ホログラムに限らず、回折格子のようなものでよいし、イオンプレーティング法により形成される薄膜等でもよく、要するに虹色等の光の干渉色を生成するような公知の種々の干渉色形成手段を適用可能である。
また、上記各実施の形態では、容器の形態としてボトルを例にとって説明したが、ボトルに限らず、カップ、スタンディングパウチ等の袋、箱等の形態でもよい。また、パウチの場合には、底材にホログラム加工フィルムを用いてもよい。また、底材は透明でなくてもよく、胴部材が透明であればよい。
【図面の簡単な説明】
【００４２】
【図１】図１は本発明の実施の形態１に係る光輝性容器を示すもので、同図（Ａ）は正面図、同図（Ｂ）は平面図、同図（Ｃ）は底面図、同図（Ｄ）は底部の一部破断拡大断面図である。
【図２】図２は本発明の実施の形態２に係る光輝性容器を示すもので、同図（Ａ）は正面図、同図（Ｂ）は底部の一部破断拡大断面図である。
【図３】図３（Ａ）乃至（Ｃ）は図２の光輝性容器のホログラムシールの装着手順を示す説明図である。
【図４】図４は本発明の実施の形態３に係る光輝性容器を示すもので、同図（Ａ）は正面図、同図（Ｂ）は平面図、同図（Ｃ）は底面図である。
【図５】図５は本発明の実施の形態３に係る光輝性容器を示すもので、同図（Ａ）は正面図、同図（Ｂ）は同図（Ａ）のＢ−Ｂ線端面図、同図（Ｃ）は底面図である。
【符号の説明】
【００４３】
１  光輝性容器
２  胴部
２１  下半部、２２  中央部、２３  肩部、２４  口頸部
２２ａ，２３ａ  角部
３  底部
３１  凹部、３２  底部載置面、３３  段凹部
４１  凹部、４２  凸部
５  ホログラムシート
１０５  ホログラムシート
１０５ａ  円板部、１０５ｂ  傾斜片部
２５  傾斜面部
１０６  シュリンクフィルム
１０６ａ  胴部被覆部、１０６ｂ  傾斜面被覆部
２０１  光輝性容器
２０２  胴部
２０２ａ  角部、２２１  胴部本体部、２２４  口頸部、
２２３  肩部、２２２  中央部
２０３  底部
２３１  凹部、２３２  底部載置面、２３３  段差部
２０４  凹部
２０５  ホログラムシート、２５１  穴
３０１  光輝性容器
３０２  胴部
３２１  胴部中央部、３２２  ヒール部、３２３  肩部、３２４  口頸部
３０３  底部
３０４  多面体壁
３４１  境界稜線、３４２  単位パネル、３４３  谷線
３０５  ホログラムシート
【図１】
2006176155.tif 000003
【図２】
2006176155.tif 000004
【図３】
2006176155.tif 000005
【図４】
2006176155.tif 000006
【図５】
2006176155.tif 000007